(57)【要約】【課題】装置の誤操作を防ぐ、または、装置あるいは被検者などの状態を容易に把握することができる眼科装置を提供する。【解決手段】  被検眼を検査する眼科装置であって、前記被検眼を検査する検眼手段と、  前記検眼手段を操作するための操作手段と、前記操作手段を照明する照明手段と、  前記照明手段を制御する制御手段と、を備え、前記制御手段は、装置状態、検者状態、または被検者状態の少なくともいずれかに応じて、前記照明手段の制御方法を変更することを特徴とする。【選択図】図３
2020162824.tif 000002
【特許請求の範囲】
【請求項１】
被検眼を検査する眼科装置であって、
前記被検眼を検査する検眼手段と、
前記検眼手段を操作するための操作手段と、
前記操作手段を照明する照明手段と、
前記照明手段を制御する制御手段と、を備え、
前記制御手段は、装置状態、検者状態、または被検者状態の少なくともいずれかに応じて、前記照明手段の制御方法を変更することを特徴とする眼科装置。
【請求項２】
前記制御手段は、前記装置状態、前記検者状態、または前記被検者状態の少なくともいずれかに応じて、前記照明手段の発光タイミングを変更することを特徴とする請求項１の眼科装置。
【請求項３】
前記制御手段は、前記装置状態、前記検者状態、または前記被検者状態の少なくともいずれかに応じて、前記照明手段の照明光の色を変更することを特徴とする請求項１または２の眼科装置。
【請求項４】
前記制御手段は、前記装置状態、前記検者状態、または前記被検者状態の少なくともいずれかに応じて、前記照明手段の光量を変更することを特徴とする請求項１〜３のいずれかの眼科装置。
【請求項５】
前記装置状態は、電源状態、モード状態、アライメント状態、検査状態、エラー状態、または通信状態の少なくともいずれかであることを特徴とする請求項１〜４のいずれかの眼科装置。
【請求項６】
前記被検者状態は、顔支持状態、接触状態、または瞬き状態の少なくともいずれかであることを特徴とする請求項１〜５のいずれかの眼科装置。
【請求項７】
前記照明手段は、互いに異なる位置に設けられた複数の光源を備え、
前記制御手段は、前記複数の光源を独立して発光させることを特徴とする請求項１〜６のいずれかの眼科装置。
【請求項８】
前記照明手段は、前記操作手段の周辺に設けられることを特徴とする請求項１〜７のいずれかの眼科装置。
【請求項９】
前記操作手段は、前記検眼手段を移動させるための操作信号を出力することを特徴とする請求項１〜８のいずれかの眼科装置。
【請求項１０】
前記操作手段は、ジョイスティックであり、
前記照明手段は、前記ジョイスティックの周囲に設けられることを特徴とする請求項１〜９のいずれかの眼科装置。
【請求項１１】
被検眼を検査する眼科装置であって、
前記被検眼を検査する検眼手段と、
前記検眼手段を操作するためのジョイスティックと、
前記ジョイスティックを照明する照明手段と、を備え、
前記照明手段は、前記ジョイスティックの周囲に設けられることを特徴とする眼科装置。
【発明の詳細な説明】
【技術分野】
【０００１】
本開示は、被検眼を検査する眼科装置に関する。
【背景技術】
【０００２】
従来の眼科装置としては、例えば、眼底カメラ、光干渉断層計（Optical Coherence Tomography: ＯＣＴ）、レーザ走査検眼鏡（Scanning laser Ophthalmoscope: ＳＬＯ）、眼屈折力測定装置、角膜形状測定装置、角膜内皮細胞撮影装置、隅角撮影装置、眼圧測定装置、またはこれらの複合装置などが知られている。これらの装置は、例えば、筐体に形成される検査窓を介して光源から出射された光を被検眼に投光し、投光された光の反射光に基づいて被検眼の検査（撮影または測定）を行う（例えば、特許文献１参照）。
【先行技術文献】
【特許文献】
【０００３】
【特許文献１】特開２０１２−２１３４８９号公報
【発明の概要】
【発明が解決しようとする課題】
【０００４】
ところで、上記のような眼科装置は、暗室あるいは準暗室で用いられる場合がある。この場合、操作部の位置がわからず検者が操作を誤る可能性があった。また、装置または被検者などの状態が把握しづらいことがあった。
【０００５】
本開示は、従来技術の問題点に鑑み、装置の誤操作を防ぐ、または、装置あるいは被検者などの状態を容易に把握することができる眼科装置を提供することを技術課題とする。
【課題を解決するための手段】
【０００６】
上記課題を解決するために、本開示は以下のような構成を備えることを特徴とする。
【０００７】
（１）  被検眼を検査する眼科装置であって、前記被検眼を検査する検眼手段と、
前記検眼手段を操作するための操作手段と、前記操作手段を照明する照明手段と、
前記照明手段を制御する制御手段と、を備え、前記制御手段は、装置状態、検者状態、または被検者状態の少なくともいずれかに応じて、前記照明手段の制御方法を変更することを特徴とする。
（２）  被検眼を検査する眼科装置であって、前記被検眼を検査する検眼手段と、前記検眼手段を操作するためのジョイスティックと、前記ジョイスティックを照明する照明手段と、を備え、前記照明手段は、前記ジョイスティックの周囲に設けられることを特徴とする。
【発明の効果】
【０００８】
本開示によれば、装置の誤操作を防ぐ、または装置あるいは被検眼などの状態を容易に把握することができる。
【図面の簡単な説明】
【０００９】
【図１】装置の外観を示す概略図である。
【図２】検眼部の内部構成を示す図である。
【図３】操作部を上方から見た図である。
【図４】操作部を側方から見た一部断面図である。
【図５】装置の変容例を示す概略図である。
【発明を実施するための形態】
【００１０】
＜実施形態＞
本開示に係る実施形態について説明する。本実施形態の眼科装置（例えば、眼科装置１０）は、被検眼を検査（撮影または測定）する。眼科装置は、例えば、検眼部（例えば、検眼部１００）と、操作部（例えば、操作部９６）と、照明部（例えば、照明部５０）と、制御部（例えば、制御部９０）を備える。検眼部は、例えば、被検眼を検査する。操作部は、例えば、検眼部を操作するために設けられる。例えば、操作部は、検者の操作を受け付け、操作信号などを出力してもよい。照明部は、操作部を照明する。制御部は、照明部を制御する。制御部は、装置状態、検者状態、または被検者状態の少なくともいずれかに応じて、照明部の制御方法（照明方法）を変更する。検者は、照明部による操作部の照明方法の変化を確認することによって、操作部の位置と、装置または被検者などの状態を容易に把握できる。
【００１１】
なお、制御部は、装置状態、検者状態、または被検者状態の少なくともいずれかに応じて、照明部の発光タイミングを変更してもよいし、照明部の照明光の色を変更してもよいし、照明部の光量を変更してもよい。
【００１２】
なお、装置状態は、電源状態、モード状態、アライメント状態、検査状態（撮影状態、または測定状態など）、エラー状態、通信状態の少なくともいずれかであってもよい。検者状態は、例えば、姿勢状態であってもよい。また、被検者状態は、例えば、顔支持状態、接触状態、または瞬き状態の少なくともいずれかであってもよい。
【００１３】
なお、照明部は、互いに異なる位置に設けられた複数の光源を備えてもよい。この場合、制御部は、複数の光源を独立して発光させてもよい。制御部は、複数の光源を独立して発光させることによって照明位置を変更してもよい。照明位置は、例えば、照明部によって照明される位置である。例えば、制御部は、複数の光源のうち、一部を点灯させ、その他を消灯させることによって照明位置を変更してもよい。
【００１４】
なお、制御部は、例えば、装置状態、検者状態、または被検者状態の少なくともいずれかに応じて、照明部の照明位置を変更してもよい。例えば、制御部は、照明位置を変更することによって、検者のアライメント操作を補助（誘導）してもよい。例えば、制御部は、ベストアライメント位置への方向に設けられた光源を点灯させ、その他の光源を消灯してもよい。この場合、検者は、照明部の照明位置の方向に操作部を操作することによって、装置のアライメントを行うことができる。
【００１５】
例えば、制御部は、操作部の前後左右方向に設けられた複数の光源のうち、前後方向のアライメントを行う場合は、前後方向に設けられた光源のみを発光させ、左右方向のアライメントを行う場合は、左右方向に設けられた光源のみを発光させてもよい。また、制御部は、上下方向のアライメントを行う場合は、照明部に設けられた複数の光源を順次点灯および消灯させることで、照明位置が操作部の周りを回転しているように見せてもよい。
【００１６】
なお、照明部の照明位置を変更する場合、上記のように、複数の光源を独立して発光させることに限らず、光源が照明光を照射するときの照射方向を変更してもよい。
【００１７】
なお、照明部は、操作部の周辺に設けられてもよい。例えば、照明部は、リング状（円環状）であってもよい。例えば、照明部は、検眼部を支持する基台（例えば、基台２０）に設けられてもよい。照明部は、照明光を下から上に向けて照射することで操作部を照明してもよい。
【００１８】
なお、操作部は、例えば、基台に設けられてもよい。操作部は、例えば、検眼部を移動させるための操作信号を出力してもよい。例えば、操作部は、ジョイスティックであってもよい。この場合、照明部は、ジョイスティックの周囲に設けられてもよい。
【００１９】
＜実施例＞
本開示に係る第１実施例を図面に基づいて説明する。実施例の眼科装置１０は、被検眼を検査（例えば、撮影または測定）する。眼科装置１０は、例えば、眼屈折力測定装置、角膜測定装置、角膜内皮細胞撮影装置、眼圧測定装置、眼軸長測定装置、眼底カメラ、ＯＣＴ（optical coherence tomography）、ＳＬＯ（Scanning Laser Ophthalmoscope）等である。
【００２０】
＜装置外観＞
図１に基づいて、眼科装置の外観を説明する。図１に示すように、本実施例の眼科装置１０は、基台２０と、ＸＹＺ駆動部３０と、顔支持部４０と、操作部９６と、検眼部１００と、照明部５０などを備える。
【００２１】
基台２０は、装置全体を支持する。ＸＹＺ駆動部３０は、例えば、検眼部１００を基台２０に対して上下左右前後方向（３次元方向）に移動させる。
【００２２】
顔支持部４０は、例えば、顎台である。顔支持部４０は、例えば、額当て４１、顎受け４２、および基部４６などを備える。額当て４１には被検者の額が当接される。顎受け４２は、被検者の顎を支持する。顎受け４２は、顎台駆動部４３の駆動によって上下方向に移動されてもよい。基部４６は、額当て４１、顎受け４２を支持する。顔支持部４０は、顎受け４２に顎が載っているか否かを検知する顎台センサ４４を備えてもよい。例えば、顎台センサ４４は、例えば、顎受け４２が被検者の顎で下方向に押し込まれたことを検知する。顎台センサ４４は、例えば、フォトセンサ、磁気センサ、圧力センサ、接触センサなどであってもよい。なお、顔支持部４０は、図示無き回動機構によって基台２０および検眼部１００に対して回動できてもよい。これによって、被検者の顔の向きを変更できるようにしてもよい。
【００２３】
操作部９６には、検者による各種操作指示が入力される。操作部９６は、入力された操作指示に応じた信号を出力する。操作部９６には、例えば、ジョイスティック、マウス、キーボード、トラックボール、ボタン、タッチパネル等の少なくともいずれかのユーザーインターフェイスを用いればよい。本実施例では、操作部９６としてジョイスティックが用いられる。操作部９６には、例えば、撮影ボタン９６ａ、上下動ダイアル９６ｂなどが設けられる。なお、眼科装置１０は、表示部を備えてもよい。表示部は、操作部９６とは別に設けられる。
【００２４】
＜照明部＞
照明部５０は、操作部９６を照明する。図３，４に示すように、照明部５０は、例えば、光源５１と、拡散板５２、基盤５３を備える。光源５１は、基台２０に固定された基盤５３に配置される。光源５１は、複数の色の光を発する。例えば、光源５１は、マルチカラーＬＥＤである。拡散板５２は、光源５１の上方に設けられ、光源５１の照明光を拡散させながら、基台２０の外部に透過させる。拡散板５２は、例えば、リング状であり、操作部９６の周りを囲む。光源５１から出射された照明光は、拡散板５２によって拡散され、操作部９６を下から照明する。これによって、暗い部屋であっても操作部９６の位置が分かり易くなる。図３に示すように、光源５１は、複数の光源５１ａ〜５１ｈを有し、操作部の前後左右斜めの８方向に配置されている。ただし、光源５１の配置方向はこれに限らない。なお、光源５１はマルチカラーＬＥＤに限らず、色の異なる単色ＬＥＤを複数備えることによって、複数の色で発光するようにしてもよい。なお、照明部５０は、拡散板５２の代わりに透明板を備えてもよい。
【００２５】
＜検眼部１００＞
検眼部１００は、被検眼の検査（撮影または測定）を行う。検眼部１００は、例えば、被検眼の眼屈折力、角膜曲率、または眼圧等を測定する光学系等を備えてもよい。また、検眼部１００は、被検眼の前眼部、または眼底等を撮影するための光学系等を備えてもよい。本実施例では、一例として、被検眼の断層画像を撮影する光学系を備える場合について説明する。
【００２６】
図２は、検眼部１００の内部構成を示す概略図である。図２に示すように、本実施例の検眼部１００は、ＯＣＴ光学系１１０、観察光学系１４０、固視標投影部１５０、制御部９０などを備える。
【００２７】
ＯＣＴ光学系１１０は、例えば、被検眼Ｅに測定光を照射し、その反射光と測定光とによって取得されたＯＣＴ信号を取得する。例えば、ＯＣＴ光学系１１０は、ＯＣＴ信号を取得することによって、被検眼Ｅの断層像を撮影する。
【００２８】
ＯＣＴ光学系１１０は、いわゆる光断層干渉計（ＯＣＴ：Optical coherence tomography）の光学系である。ＯＣＴ光学系１１０は、測定光源１１１から出射された光をカップラー（光分割器）１１２によって測定光（試料光）と参照光に分割する。そして、ＯＣＴ光学系１１０は、測定光学系１２０によって測定光を眼Ｅの眼底Ｅｆに導く。測定光学系１２０は、例えば、走査部（例えば、光スキャナ）１２１を備える。走査部１２１は、例えば、被検眼上の撮像位置を変更するため、被検眼上における測定光の走査位置を変更する。また、ＯＣＴ光学系１１０は、参照光を参照光学系１３０に導く。その後、被検眼Ｅによって反射された測定光と，参照光との合成による干渉光を検出器１１３に受光させる。
【００２９】
検出器１１３は、測定光と参照光との干渉状態を検出する。フーリエドメインＯＣＴの場合では、干渉光のスペクトル強度が検出器１１３によって検出され、スペクトル強度データに対するフーリエ変換によって所定範囲における深さプロファイル（Ａスキャン信号）が取得される。例えば、Spectral-domain OCT（ＳＤ−ＯＣＴ）、Swept-source OCT（ＳＳ−ＯＣＴ）が挙げられる。また、Time-domain OCT（ＴＤ−ＯＣＴ）であってもよい。
【００３０】
光源１１１から出射された光は、カップラー１１２によって測定光束と参照光束に分割される。そして、測定光束は、光ファイバーを通過した後、空気中へ出射される。その光束は、測定光学系１２０の光学部材を介して眼底Ｅｆに集光される。そして、眼底Ｅｆで反射された光は、同様の光路を経て光ファイバーに戻される。
【００３１】
走査部１２１は、眼底上でＸＹ方向（横断方向）に測定光を走査させる。走査部１２１は、瞳孔と略共役な位置に配置される。例えば、走査部１２１は、２つのガルバノミラー等を有するガルバノスキャナであり、その反射角度が駆動機構１２２によって任意に調整される。走査部１２１としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００３２】
参照光学系１３０は、眼底Ｅｆでの測定光の反射によって取得される反射光と合成される参照光を生成する。参照光学系１３０は、マイケルソンタイプであってもよいし、マッハツェンダタイプであっても良い。参照光学系１３０は、例えば、反射光学系（例えば、参照ミラー）によって形成され、カップラー１１２からの光を反射光学系により反射することにより再度カップラー１１２に戻し、検出器１１３に導く。他の例としては、参照光学系１３０は、透過光学系（例えば、光ファイバー）によって形成され、カップラー１１２からの光を戻さず透過させることにより検出器１１３へと導く。
【００３３】
参照光学系１３０は、参照光路中の光学部材を移動させることにより、測定光と参照光との光路長差を変更する構成を有する。例えば、参照ミラーが光軸方向に移動される。光路長差を変更するための構成は、測定光学系１２０の測定光路中に配置されてもよい。
【００３４】
観察光学系１４０は、被検眼の観察画像を撮影する。観察画像は、例えば、眼底Ｅｆの正面画像であってもよいし、前眼部画像であってもよい。本実施例の観察光学系１４０は、いわゆる走査型レーザ検眼鏡（ＳＬＯ）である。例えば、観察光学系１４０は、例えば、ＳＬＯ光源１４１、フォーカシングレンズ１４３、走査部１４４、リレーレンズ１４５等を備える。ＳＬＯ光源１４１は、高コヒーレントな光を発する光源であり、例えば、λ＝７８０ｎｍのレーザダイオード光源が用いられる。フォーカシングレンズ１４３は、被検眼の屈折誤差に合わせて光軸方向に移動可能である。走査部１４４は、駆動部１４４ａの駆動により眼底上でＸＹ方向に測定光を高速で走査させることが可能なガルバノミラーとポリゴンミラーとの組み合せからなる。リレーレンズ１４５は、走査部１４４によって反射した測定光を対物レンズ１０１までリレーする。
【００３５】
ＳＬＯ光源１４１とフォーカシングレンズ１４３との間には、ビームスプリッタ１４２が配置されている。ビームスプリッタ１４２の反射方向には、集光レンズ１４６と、眼底に共役な位置に置かれる共焦点開口１４７と、受光素子１４８が設けられている。
【００３６】
ＳＬＯ光源１４１から発せられたレーザ光（測定光）は、ビームスプリッタ１４２を透過した後、フォーカシングレンズ１４３を介して、走査部１４４に達し、ガルバノミラー及びポリゴンミラー等の駆動により反射方向が変えられる。そして、走査部１４４で反射されたレーザ光は、リレーレンズ１４５および対物レンズ１０１を介して、眼底に集光される。
【００３７】
そして、眼底で反射したレーザ光は、対物レンズ１０１、リレーレンズ１４５、走査部１４４、フォーカシングレンズ１４３を経て、ビームスプリッタ１４２にて反射される。その後、集光レンズ１４６にて集光された後、共焦点開口１４７を介して、受光素子１４８によって検出される。そして、受光素子１４８にて検出された受光信号は後述する制御部９０へと入力される。制御部９０は受光素子１４８にて得られた受光信号に基づいて被検眼眼底の正面画像を取得する。取得された正面画像は記憶部９４に記憶される。なお、ＳＬＯ画像の取得は、走査部１４４に設けられたガルバノミラーによるレーザ光の縦方向の走査（副走査）とポリゴンミラーによるレーザ光の横方向の走査（主走査）によって行われる。
【００３８】
なお、観察光学系１４０の構成としては、いわゆる眼底カメラタイプの構成であってもよい。また、ＯＣＴ光学系１１０は、観察光学系１４０として兼用されてもよい。すなわち、正面画像は、二次元的に得られた断層画像を形成するデータを用いて取得されるようにしてもよい（例えば、三次元断層画像の深さ方向への積算画像、ＸＹ各位置でのスペクトルデータの積算値等）。
【００３９】
固視標投影部１５０は、眼Ｅの視線方向を誘導するための光学系を有する。固視標投影部１５０は、例えば、眼Ｅに固視標を呈示する。固視標投影部１５０は、例えば、可視光を発する可視光源を有する。固視標投影部１５０は、内部固視灯タイプであってもよいし、外部固視灯タイプであってもよい。
【００４０】
顔撮影部１６０は、例えば、被検眼の顔を撮影する。顔撮影部１６０は、例えば、左右の被検眼のうち少なくとも一方を含む顔を撮影する。
【００４１】
制御部９０は、一般的なＣＰＵ（Central Processing Unit）９１、ＲＯＭ９２、ＲＡＭ９３等で実現される。制御部９０のＲＯＭ９２には、ＯＣＴ信号を処理するためのＯＣＴ信号処理プログラム、眼科装置１０の動作を制御するための各種プログラム、初期値等が記憶されている。ＲＡＭ９３は、各種情報を一時的に記憶する。なお、制御部９０は、複数の制御部９０（つまり、複数のプロセッサ）によって構成されてもよい。
【００４２】
制御部９０には、図２に示すように、例えば、記憶部（例えば、不揮発性メモリ）９４、および操作部９６等が電気的に接続されている。記憶部９４は、電源の供給が遮断されても記憶内容を保持できる非一過性の記憶媒体である。例えば、ハードディスクドライブ、フラッシュＲＯＭ、着脱可能なＵＳＢメモリ等を記憶部９４として使用することができる。
【００４３】
＜照明制御＞
制御部９０は、照明部５０を制御する。例えば、制御部９０は、発光タイミング、照明光の色、または光量を変更する。発光タイミングを変更する場合、例えば制御部９０は、照明部５０の光源５１を点灯、点滅または消灯させる。照明部５０に複数の光源５１ａ〜５１ｈが設けられる場合、制御部９０は、各光源５１の点灯、点滅、または消灯のタイミングをずらしてもよい。また、照明光の色を変更する場合、例えば制御部９０は、照明光の色を赤、橙、黄、緑、青、藍、紫など種々の色に変化させる。また、照明光の光量を変更する場合、例えば制御部９０は、照明光の光量を大きくしたり、小さくしたりする。
【００４４】
制御部９０は、装置状態、検者状態、または被検者状態の少なくともいずれかに応じて照明部５０の制御方法（例えば、照明部５０による操作部９６の照明方法）を変更する。これによって、制御部９０は、装置状態、検者状態、または被検者状態を検者に報知する。装置状態は、例えば、電源状態、モード状態、アライメント状態、撮影状態（検査状態）、エラー状態、通信状態などである。検者状態は、例えば、姿勢状態などである。被検者状態は、例えば、顔支持状態、接触状態、または瞬き状態などである。
【００４５】
装置状態について説明する。装置状態の１つである電源状態は、例えば、電源のＯＮ／ＯＦＦ、またはスリープなどの状態を示す。例えば、制御部９０は、装置１０の電源がＯＮになっているとき、照明部５０の光源５１を点灯させる。また、制御部９０は、装置１０の電源がＯＦＦになっているとき、照明部５０の光源５１を消灯させる。また、制御部９０は、装置１０がスリープ状態のときに、照明部５０の光源５１を点滅させる。これによって、検者は、装置１０の電源がＯＮになっているか、ＯＦＦになっているか、またはスリープ状態かを容易に把握できる。もちろん、制御部９０は、電源状態に応じて照明部５０の照明光の色を変更してもよいし、照明光の光量を変更してもよいし、これらの制御方法を組み合わせてもよい。なお、電源状態は、バッテリーの状態であってもよい。例えば、制御部９０は、バッテリーの残量に応じて照明部５０の制御方法を変更してもよい。これによって、バッテリーで駆動する眼科装置（手持ち型眼科装置など）のバッテリー残量を容易に把握することができる。
【００４６】
モード状態は、例えば、オートアライメント、あるいはマニュアルアライメントなどのアライメントモード、または、前眼部撮影、眼底撮影、カラー眼底撮影、蛍光眼底撮影、ステレオ撮影、あるいはパノラマ撮影などの撮影モード（検査モード）などの状態を示す。例えば、制御部９０は、各モードを実行中において、モード毎に設定された照明光の色で照明部５０を点灯させてもよい。これによって、検者は、どのモードで検査が実行されているのかを容易に把握することができる。
【００４７】
アライメント状態は、例えば、アライメント開始、アライメント中、またはアライメント完了などの状態を示す。例えば、制御部９０は、検眼部１００のアライメント開始時、アライメント中、アライメント完了時に、照明部５０の発光タイミング、照明光の色、または照明光の光量を変更してもよい。これによって、検者は、アライメントの段階を容易に把握することができる。
【００４８】
なお、制御部９０は、検眼部１００のアライメント中において、照明部５０を制御することによって、検者のマニュアルアライメントを補助してもよい。例えば、制御部９０は、顔撮影部１６０または図示無き前眼撮影部によって撮影された顔画像または前眼部正面画像から被検眼の位置を検出し、検眼部１００の位置が被検眼に対してＸＺ方向（前後左右方向）にずれている場合は、複数の光源５１ａ〜５１ｈのうち、ベストアライメント位置へ向かう方向に設けられた光源を点灯させ、その他の光源を消灯させる。これによって、検者は、光源５１が点灯している方向に操作部９６を操作（傾倒）することで、検眼部１００の位置を容易に合わせることができる。また、制御部９０は、検眼部１００の位置が被検眼に対してＹ方向（上下方向）にずれている場合は、照明部５０の光源５１ａ〜５１ｈを順次点灯／消灯させて、照明光が回転しているように見せてもよい。これによって、検者は、照明光が回転して見える方向にダイアル９６ｂを回転させることで、検眼部１００の位置を容易に合わせることができる。
【００４９】
また、制御部９０は、例えば、図示無き前眼撮影部によって撮影された前眼部正面画像に写る輝点などに基づいて被検眼の位置を検出し、検眼部１００が被検眼に対して左右方向にずれている場合は、照明部５０の左右方向に設けられた光源５１ｃ，５１ｇを点灯させ、その他の光源を消灯させる。また、検眼部１００が被検眼に対して前後方向にずれている場合、照明部５０の前後方向に設けられた光源５１ａ，５１ｅを点灯させ、その他の光源を消灯させる。これによって、検者は、操作部９６をどの方向に操作（傾倒）して検眼部１００を移動させればよいのかを容易に把握することができる。また、検眼部１００が被検眼に対して上下方向にずれている場合は、照明部５０の光源５１ａ〜５１ｈを順次点灯／消灯させて、照明光が右回りと左回りに交互に回転しているように見せてもよい。これによって、検者は、ダイアル９６ｂを回転させて検眼部１００を上下方向に移動させればよいのかを容易に把握することができる。
【００５０】
撮影状態（検査状態）は、例えば、撮影開始（検査開始）、撮影中（検査中）、撮影完了（検査完了）などの状態を示す。例えば、制御部９０は、検眼部１００による被検眼の撮影開始時、撮影中、撮影完了時に照明部５０の発光タイミング、照明光の色、または照明光の光量を変更してもよい。これによって、検者は、撮影の段階を容易に把握することができる。なお、撮影状態は、例えば、画像処理、保存処理などの処理状態を含んでもよい。例えば、制御部９０は、画像処理または保存処理などの内部処理が実行されたか否かに応じて照明部５０の制御方法を変更してもよい。これによって、検者は、内部処理が完了したこと照明部５０の照明光によって確認した上で装置の電源をＯＦＦにしたり、次の操作を行ったりすることができる。
【００５１】
エラー状態は、例えば、部品不良などの装置内部の不具合によるエラー、被検眼の位置検出ができなかったときのオートアライメントエラー、または良好な画像を得られず撮影が失敗したときのエラーなどの状態を示す。例えば、制御部９０は、これらのエラーが発生した場合、照明部５０の発光タイミング、照明光の色、または照明光の光量を変更してもよい。これによって、検者は、検査中にエラーが発生したことを容易に把握することができる。
【００５２】
通信状態は、例えば、眼科装置１０が有線または無線によって通信ネットワークに接続されているか否かを示す状態である。例えば、制御部９０は、通信状態に応じて照明部５０の制御方法を変更してもよい。これによって、検者は、眼科装置１０が通信可能か否かを照明部５０の照明光によって容易に確認することができる。なお、通信状態は、眼科装置１０が通信中か否かを示す状態を含んでもよい。
【００５３】
次いで、検者状態に説明する。検者状態の１つである姿勢状態は、例えば、検者が立っているか座っているかの状態、または検者が眼科装置１０のどちら側（被検者側、被検者の対面側、右側、左側など）にいるかの状態を示す。例えば、制御部９０は、装置本体の検者側に設けられた図示無き検者撮影カメラによって検者が立っているか座っているか、または検者が眼科装置１０のどちら側にいるかを検出し、検者の姿勢に応じて照明部５０の制御方法を変更してもよい。
【００５４】
また、検者状態は、検者が誰であるかを示す検者情報を含んでもよい。例えば、制御部９０は、検者によって入力された検者ＩＤ（例えば、電子カルテシステムのログインＩＤ、またはパーソナルコンピュータのログインＩＤなど）によって照明部５０の制御方法を変更してもよい。例えば、制御部９０は、検者毎に異なる色の照明光で操作部９６を照明してもよい。これによって、検者は自身のＩＤが正しく入力されたこと、または自身の設定が装置に適用されていることを照明部５０の照明光によって確認することができる。
【００５５】
続いて被検者状態について説明する。被検者状態の１つである顔支持状態は、例えば、被検者の顔が顔支持部４０に支持されているか否かの状態を示す。例えば、制御部９０は、顔支持部４０に設けられた顎台センサ４４などによって、アライメント中に被検者の顔が顔支持部４０から外れたことを検出した場合、照明部５０の発光タイミング、照明光の色、または照明光の光量を変更してもよい。これによって、検者は、被検者の顔が顔支持部４０から外れたことを容易に把握することができる。また、顔支持状態は、顔支持部４０に支持される被検者の顔の向きを含んでもよい。例えば、顔撮影部１６０によって撮影された顔画像から被検者の顔の向きを検出し、顔が上下左右のどちらの方向に向いているかによって照明部５０の制御方法を変更してもよい。
【００５６】
接触状態は、検眼部１００と被検者が接触しているか否かの状態を示す。例えば、制御部９０は、検眼部１００に設けられた図示無き接触センサなどによって、検眼部１００と被検者が接触していることを検出した場合、照明部５０の発光タイミング、照明光の色、または照明光の光量を変更してもよい。これによって、検者は、被検眼と被検者が接触していることを容易に把握することができる。
【００５７】
瞬き状態は、被検者が瞬きをしているか否かの状態を示す。例えば、制御部９０は、顔画像または前眼部正面画像などに基づいて被検眼が瞬きしていること、または瞬きが多いことを検出した場合、照明部５０の発光タイミング、照明光の色、または照明光の光量を変更してもよい。これによって、検者は、被検者が瞬きしていること、または瞬きが多いことを容易に把握することができる。
【００５８】
なお、被検者状態は、被検者が誰であるかを示す被検者情報を含んでもよい。例えば、制御部９０は、検者によって入力された被検者ＩＤによって照明部５０の制御方法を変更してもよい。例えば、制御部９０は、初めて検査する被検者と、過去に検査したことのある被検者とで照明光の色を変更してもよい。
【００５９】
＜動作例＞
以上のような構成を備える眼科装置１０の動作例を操作手順とともに説明する。まず、検者は、装置１０の電源を入れる。電源がＯＮになると、制御部９０は、照明部５０の光源５１を点灯し、操作部９６を照明する。検者は、操作部９６が照明されていることによって、装置１０の電源が入ったことを確認するとともに、操作部９６の位置を把握できる。また、検者は、照明光の色によって、現在設定されているアライメントモードを確認できる。
【００６０】
検者は、顎受け４２に顎を載せ、額当て４１に額を当てるように被検者に指示する。被検者の顎が顎受け４２に載せられると、顎台センサ４４から制御部９０に信号が送られる。制御部９０は、顎台センサ４４からの信号を受け取ると、検眼部１００のオートアライメントを開始する。例えば、制御部９０は、アライメント開始時に照明部５０の光源５１を２回点滅させ、アライメント中は光源５１を点灯させる。アライメント中に被検者の顎が顎受け４２から外れたことを検知した場合、制御部９０は、照明光の色を変更する。検者は、照明光の色の変化を確認すると、被検者に顎受け４２に顎を載せるように再度指示する。アライメントが完了すると、制御部９０は、光源５１を点滅させる。
【００６１】
なお、被検眼の位置が検出されず、アライメントエラーとなった場合、制御部９０は、照明光の色を変更する。検者は、照明光の色が変化したことによって、アライメントエラーが発生したことを確認する。検者の操作によって、アライメントモードがマニュアルに切り替えられると、制御部９０は、照明光の色をマニュアルアライメントモードに対応する色に変更する。
【００６２】
制御部９０は、図示無き前眼部撮影部などによって被検眼を検出した場合、光源５１（５１ａ〜５１ｈ）のうち被検眼の方向に対応する光源を点灯させる。検者は、光源５１の点灯する方向に操作部９６を操作することによって被検眼に対して容易にアライメントを行うことができる。
【００６３】
検者によって撮影ボタン９６ａが押され、撮影が開始されると、制御部９０は、撮影モードに対応した色で光源５１を点滅させ、撮影が完了すると点滅を終了させる。
【００６４】
以上のように、本実施例の眼科装置１０は、照明部５０によって操作部９６を照明することで、暗室などにおいて検者に操作部９６の位置を容易に把握させることができる。これによって、検者の誤操作を低減しつつ、照明光の発光の仕方によって装置状態または被検者状態を容易に把握させることができる。
【００６５】
なお、前述の動作は一例であり、各装置状態、各検者状態、または各被検者状態に対応する照明部の制御方法は上記に限らず、任意に変更してもよい。
【００６６】
＜変容例＞
なお、制御部９０は、右眼を撮影するときに照明部５０の右側の光源５１ｂ〜５１ｄの光量を大きくし、左眼を撮影するときに照明部５０の左側の光源５１ｆ〜５１ｈを大きくしてもよい。または、右眼を撮影するときに照明部５０の右側の光源５１ｂ〜５１ｄのみを点灯させ、左眼を撮影するときに照明部５０の左側の光源５１ｆ〜５１ｈのみを点灯させてもよい。これによって、検者は、左右どちらの眼を撮影しているかを容易に把握することができる。
【００６７】
なお、本装置１０は、照度センサなどを備えてもよい。この場合、制御部９０は、照度センサによって検出された部屋の明るさに応じて、照明部５０の光量を自動で調整してもよい。例えば、制御部９０は、部屋が明るい場合は照明光の光量を大きくし、部屋が暗い場合は照明光の光量を小さくしてもよい。これによって、検者は、どのような明るさの部屋においても照明光を確認し易い。
【００６８】
なお、装置状態は、光学アダプタの装着状態を含んでもよい。図５に示すように、光学アダプタ２００は、例えば、広角撮影、前眼部撮影などの通常とは異なる撮影を行う際に、検眼部１００の検査窓１００ａに装着される光学素子ユニットである。制御部９０は、光学アダプタ２００が装着されているか否か、または装着されている光学アダプタ２００の種類などを示す装着状態に応じて照明部５０の制御方法を変更してもよい。この場合、制御部９０は、検眼部１００に設けられたアダプタ検知部２１０などによって光学アダプタ２００を検知してもよい。
【００６９】
また、装置状態は、表示部の配置状態を含んでもよい。図５に示すように、回旋機構９５ａによって回旋可能な表示部９５が設けられる場合、表示部９５のパン（左右方向の回旋）またはチルト（上下方向の回旋または反転）などの状態に応じて、照明部５０の制御方法を変更してもよい。この場合、制御部９０は、表示部９５等に設けられたセンサ９５ｂ（位置センサ、角速度センサ、または加速度センサなど）によって表示部９５の配置状態を検出してもよい。
【００７０】
また、装置状態は、視度補正状態を含んでもよい。例えば、制御部９０は、検眼部１００の内部に設けられた図示無き視度補正レンズの位置情報または挿抜情報に基づいて視度補正状態を検出し、視度補正状態に応じて照明部５０の制御方法を変更してもよい。
【００７１】
なお、上記の実施例では、操作部９６として主にジョイスティックについて説明したが、これに限らない。例えば、操作部９６は、ボタン、トラックボール等のその他のユーザーインターフェイスであってもよい。また、操作部９６は、眼科装置１０の本体に設けられるものに限らず、有線または無線によって装置本体に接続された手持ち型のコントローラであってもよい。この場合、照明部５０は、手持ち型コントローラに設けられてもよい。
【００７２】
なお、上記の実施例において、照明部５０は基台２０に設けられたが、操作部９６に設けられてもよい。
【００７３】
なお、装置状態、検者状態、または被検者状態と、それに対応する照明部５０の照明方法は、検者の操作によって任意に設定できるようにしてもよい。これによって、検者は、どの照明方法がどの装置状態、検者状態、または被検者状態に対応するのかを把握することが容易となる。
【符号の説明】
【００７４】
１０    眼科装置
２０    基台
３０    ＸＹＺ駆動部
４０    顔支持部
８０    顔撮影部
９０    制御部
１００  検眼部
【図１】
2020162824.tif 000003
【図２】
2020162824.tif 000004
【図３】
2020162824.tif 000005
【図４】
2020162824.tif 000006
【図５】
2020162824.tif 000007